(57)【要約】      （修正有）【課題】伝送特性の劣化を抑制できるフレキシブル配線基板を提供する。【解決手段】フレキシブル配線基板は、ベース１００、カバー２００、信号導体３００及び接地導体４００を備える。カバー２００は、長尺状の誘電体であるベース１００の第１面１０１及び第２面１０２の少なくとも一方の面上に固定された誘電体で、当該面の長手方向の一部を覆う。信号導体３００はベース１００に設けられ、長手方向に延びている。信号導体３００は第１部３１０と第２部３２０を有する。接地導体４００は、ベース１００に設けられ、信号導体３００に対して間隔をあけて平行に延びている。接地導体４００は第１部４１０と第２部４２０を有する。第１部３１０及び第１部４１０がカバー２００に覆われ、第２部３２０及び第２部４２０がカバー２００に覆われていない。第２部４２０の単位面積が第１部４１０の単位面積よりも小さい。【選択図】図２Ｆ
2017028500.tif 000002
【特許請求の範囲】
【請求項１】
可撓性を有する長尺状の誘電体であって、当該誘電体の厚み方向の第１面及び前記第１面の反対側の第２面を有するベースと、
前記ベースの前記第１面及び前記第２面の少なくとも一方の面上に固定されており且つ前記ベースよりも誘電率が低い低誘電体であって、当該少なくとも一方の面の長手方向の一部を覆う少なくとも一つのカバーと、
前記ベースに設けられており且つ前記長手方向に延びた少なくとも一つの信号導体と、
前記ベースに設けられており且つ前記少なくとも一つの信号導体に対して間隔をあけて平行に延びた少なくとも一つの接地導体とを備えており、
前記少なくとも一つの信号導体は、前記カバーに覆われている第１部と、前記カバーに覆われていない第２部とを有しており、
前記少なくとも一つの接地導体は、前記カバーに覆われている第１部と、
前記カバーに覆われていない第２部とを有しており、
前記接地導体の前記第２部の単位面積が、前記接地導体の前記第１部の単位面積よりも小さいフレキシブル配線基板。
【請求項２】
請求項１記載のフレキシブル配線基板において、
前記接地導体の前記第２部の短手方向の寸法が、前記接地導体の前記第１部の前記短手方向の寸法よりも小さいフレキシブル配線基板。
【請求項３】
請求項１〜２の何れかに記載のフレキシブル配線基板において、
前記接地導体は、二つであり、
前記少なくとも一つの信号導体は、前記二つの接地導体間に配置されているフレキシブル配線基板。
【発明の詳細な説明】
【技術分野】
【０００１】
本発明は、フレキシブル配線基板に関する。
【背景技術】
【０００２】
従来のフレキシブル配線基板が下記特許文献１及び２に記載されている。この従来のフレキシブル配線基板は、ベースと、信号導体と、接地導体とを備えている。ベースは、絶縁性を有している。信号導体及び接地導体は、マイクロストリップラインを構成するようにベースに設けられている。
【先行技術文献】
【特許文献】
【０００３】
【特許文献１】特開２００７−１２３７４０号公報
【特許文献２】ＷＯ２０１２／０７３５９１号公報
【発明の概要】
【発明が解決しようとする課題】
【０００４】
上記フレキシブル配線基板は、電子機器内で二つの電子部品間を接続するのに使用される。このフレキシブル配線基板が、電子機器内の他の部品（電子部品の端子や電子部品の金属シェル等）に接触すると、信号導体及び／又は接地導体の特性インピーダンスが乱れる。これが、フレキシブル配線基板の伝送特性の劣化に繋がる。
【０００５】
本発明は、上記事情に鑑みて創案されたものであって、その目的とするところは、伝送特性の劣化を抑制することができるフレキシブル配線基板を提供することにある。
【課題を解決するための手段】
【０００６】
上記課題を解決するために、本発明の一態様のフレキシブル配線基板は、ベースと、少なくとも一つのカバーと、少なくとも一つの信号導体と、少なくとも一つの接地導体とを備えている。ベースは、可撓性を有する長尺状の誘電体である。ベースは、当該ベースの厚み方向の第１面と、第１面の反対側の第２面を有している。少なくとも一つのカバーは、ベースの第１面及び第２面の少なくとも一方の面上に固定されており且つベースよりも誘電率が低い低誘電体であって、当該少なくとも一方の面の長手方向の一部を覆っている。少なくとも一つの信号導体は、ベースに設けられており且つ長手方向に延びている。少なくとも一つの信号導体は、カバーに覆われている第１部と、カバーに覆われていない第２部とを有している。少なくとも一つの接地導体は、ベースに設けられており且つ少なくとも一つの信号導体に対して間隔をあけて平行に延びている。接地導体は、カバーに覆われている第１部と、カバーに覆われていない第２部を有している。接地導体の第２部の単位面積が、接地導体の第１部の単位面積よりも小さい。
【０００７】
このような態様のフレキシブル配線基板は、伝送特性の劣化が抑制される。その理由は以下の通りである。第１に、カバーがベースの第１面及び第２面の少なくとも一方の面の一部を覆っているので、ベースが他の部品に接触する可能性を低減できる。よって、ベースが他の部品に接触することによって、フレキシブル配線基板の伝送特性が劣化する可能性が低減される。第２に、信号導体がカバーに覆われている第１部とカバーに覆われていない第２部とを有しているため、信号導体の第１部と第２部とにインピーダンスの差が生じ得る。しかし、接地導体の第２部の単位面積が接地導体の第１部の単位面積よりも小さいので、信号導体の第２部のインピーダンスが大きくなる。よって、信号導体の第２部のインピーダンスと信号導体の第１部のインピーダンスとの差が低減される。これがフレキシブル配線基板の伝送特性の劣化を抑制する。
【０００８】
接地導体の第２部の短手方向の寸法が、接地導体の第１部の短手方向の寸法よりも小さくすることが可能である。このような態様のフレキシブル配線基板による場合、接地導体の第２部及び第１部の短手方向の寸法を相違させることによって、接地導体の第２部の単位面積を接地導体の第１部の単位面積よりも小さくすることができる。
【０００９】
又は、接地導体は、信号導体に沿って間隔をあけて配置される複数の開口を有する構成とすることが可能である。接地導体の第２部の開口の少なくとも一つの外形寸法が、接地導体の第１部の開口の外形寸法よりも大きくすることが可能である。又は、接地導体の第２部の開口の間隔が、接地導体の第１部の開口の間隔よりも小さくすることが可能である。このような態様のフレキシブル配線基板による場合、接地導体の第２部の開口の外形寸法を接地導体の第１部の開口の外形寸法と相違させる、又は接地導体の第２部の開口の間隔を接地導体の第１部の開口の間隔と相違させることによって、接地導体の第２部の単位面積を接地導体の第１部の単位面積よりも小さくすることができる。
【００１０】
又は、接地導体は、第２部に設けられた少なくとも一つの開口を有する構成とすることが可能である。このような態様のフレキシブル配線基板による場合、接地導体の第２部に開口を設けることによって、接地導体の第２部の単位面積を接地導体の第１部の単位面積よりも小さくすることができる。
【００１１】
接地導体は、二つとすることが可能である。この場合、少なくとも一つの信号導体は、二つの接地導体間に配置された構成とすることが可能である。また、複数の信号導体が、二つの接地導体間に配置された構成とすることが可能である。
【図面の簡単な説明】
【００１２】
【図１Ａ】本発明の実施例１に係る一態様のフレキシブル配線基板の正面、平面及び右側面から表した斜視図である。
【図１Ｂ】前記フレキシブル配線基板の背面、底面及び左側面から表した斜視図である。
【図１Ｃ】前記フレキシブル配線基板のベースの第２部を湾曲させた状態を示す正面、平面及び右側面から表した斜視図である。
【図２Ａ】前記フレキシブル配線基板の図１Ａ中の２Ａ−２Ａ断面図である。
【図２Ｂ】前記フレキシブル配線基板の図１Ａ中の２Ｂ−２Ｂ断面図である。
【図２Ｃ】前記フレキシブル配線基板の図１Ａ中の２Ｃ−２Ｃ断面図である。
【図２Ｄ】前記フレキシブル配線基板の図１Ａ中の２Ｄ−２Ｄ断面図である。
【図２Ｅ】前記フレキシブル配線基板の図１Ａ中の２Ｅ−２Ｅ断面図である。
【図２Ｆ】前記フレキシブル配線基板の図１Ａ中の２Ｆ−２Ｆ断面図である。
【図３Ａ】前記フレキシブル配線基板のベース、信号導体及び接地導体の正面、平面及び右側面から表した斜視図であって、前記ベースを二点破線で示した図である。
【図３Ｂ】前記フレキシブル配線基板の前記ベース、前記信号導体及び前記接地導体の背面、底面及び左側面から表した斜視図であって、前記ベースを二点破線で示した図である。
【図４Ａ】前記フレキシブル配線基板の前記ベース、前記信号導体及び前記接地導体の平面図であって、前記ベースを二点破線で示し且つ前記接地導体の別の態様を示す図である。
【図４Ｂ】前記フレキシブル配線基板の前記ベース、前記信号導体及び前記別の態様の接地導体の底面図であって、前記ベースを二点破線で示した図である。
【図５】前記フレキシブル配線基板の設計変更例を説明するための断面図である。
【図６Ａ】前記フレキシブル配線基板の別の設計変更例を説明するための断面図である。
【図６Ｂ】前記フレキシブル配線基板の更に別の設計変更例を説明するための断面図である。
【発明を実施するための形態】
【００１３】
以下、本発明の実施例１に係るフレキシブル配線基板Ｆついて図１Ａ〜図４Ｂを参照しつつ説明する。フレキシブル配線基板Ｆは、ベース１００と、少なくとも一つのカバー２００と、少なくとも一つの信号導体３００と、少なくとも一つの接地導体４００とを備えている。以下、説明の便宜上、ベース１００の長手方向を第１方向と称し、ベース１００の短手方向を第２方向と称し、且つベース１００の厚み方向を第３方向と称する。第１方向は、特許請求の範囲の長手方向に相当する。第２方向は、特許請求の範囲の短手方向に相当する。第２方向は第１方向に交差している。第３方向は、特許請求の範囲の厚み方向に相当する。第３方向は、第１方向及び第２方向に直交している。
【００１４】
ベース１００は可撓性を有する長尺状の誘電体である。ベース１００は、第１面１０１と、第２面１０２とを有している。第１面１０１は、ベース１００の第３方向の一方の面である。第２面１０２は、ベース１００の第３方向の他方の面であって、第１面１０１の反対側の面である。図１Ａ〜図４Ｂでは、ベース１００は、可撓性を有する長尺状の絶縁板である。
【００１５】
少なくとも一つの信号導体３００は、ベース１００内に設けられていても良いし、ベース１００の第１面１０１上に設けられていても良い。信号導体３００は、ベース１００に沿って延びている。図１Ａ〜図４Ｂでは、信号導体３００は一つである。
【００１６】
少なくとも一つの接地導体４００は、ベース１００内に設けられていても良いし、ベース１００の第１面１０１上に設けられていても良い。接地導体４００は、信号導体３００に対して第３方向に間隔をあけて平行に延びている。接地導体４００は、信号導体３００にベース１００を介して第３方向に対向配置されている。接地導体４００の第２方向の寸法（幅寸法）は、信号導体３００の第２方向の寸法よりも大きい（幅寸法）。信号導体３００及び接地導体４００は、マイクロストリップラインを構成していると良い。
【００１７】
ベース１００は、少なくとも一つの第１部１１０と、少なくとも一つの第２部１２０と、第１端部１３０と、第２端部１４０とを更に有している。第１部１１０は、ベース１００の第１方向の一部である。第１部１１０は、第１面と、第２面を有している。第１部１１０の第１面は、第１部１１０の第３方向の一方の面であって、第１面１０１の第１方向（長手方向）の一部である。第１部１１０の第２面は、第１部１１０の第３方向の他方の面であって、第２面１０２の第１方向（長手方向）の一部である。第２部１２０は、ベース１００の第１方向の第１部１１０以外の別の一部である。第２部１２０は、第１面と、第２面を有している。第２部１２０の第１面は、第２部１２０の第３方向の一方の面であって、第１面１０１の第１方向（長手方向）の別の一部である。第２部１２０の第２面は、第２部１２０の第３方向の他方の面であって、第２面１０２の第１方向（長手方向）の別の一部である。第１端部１３０は、ベース１００の第１方向の一方側の端部である。第２端部１４０はベース１００の第１方向の他方側の端部である。
【００１８】
少なくとも一つのカバー２００は、ベース１００よりも誘電率が低い低誘電体であって、ベース１００の少なくとも一つの第１部１１０の第１面上及び／又は第２面上に固定されている。カバー２００の第１方向の寸法は、ベース１００の第１部１１０の第１方向の寸法と同じとすることが可能である。カバー２００の第２方向の寸法は、ベース１００の第１部１１０の第２方向の寸法と同じであっても良いし、相違していても良い。カバー２００が少なくとも一つの第１部１１０を覆っている。
【００１９】
図１Ａ〜図４Ｂでは、ベース１００の第１部１１０は二つであり、第２部１２０も二つである。第１部１１０のうちの一方の第１部１１０は、ベース１００の第１方向の一部であり、他方の第１部１１０はベース１００の第１方向の別の一部である。第２部１２０のうちの一方の第２部１２０は、ベース１００の二つの第１部１１０の間の部分であり、他方の第２部１２０はベース１００の他方の第１部１１０と第２端部１４０との間の部分である。カバー２００は、四つである。四つのカバー２００のうち二つが、一方の第１部１１０の第１面上及び第２面上に固定されており、残りの二つが他方の第１部１１０の第１面上及び第２面上に固定されている。このように二つの第１部１１０は、二つのカバー２００に各々挟まれている。
【００２０】
上記した何れかの態様のカバー２００は、ベース１００よりも誘電率が低い折り曲げ不可である樹脂（例えば、ウレタン等の発泡剤）で構成された絶縁板とすることが可能である。このカバー２００が固定された第１部１１０は湾曲又は折り曲げ不可となる一方、ベース１００の第２部１２０は湾曲又は折り曲げ可能な状態が維持される（図１Ｃ参照）。上記した何れかの態様のカバー２００は、樹脂製の絶縁フィルム等であっても良い。
【００２１】
少なくとも一つの信号導体３００は、第１部３１０と、第２部３２０とを更に有する構成とすることが可能である。第１部３１０は、ベース１００の第１部１１０内又は第１部１１０の第１面上に位置しており且つ少なくとも一つのカバー２００に覆われている部分である。第２部３２０は、ベース１００の第２部１２０内又は第２部１２０の第１面上に位置しており且つ少なくとも一つのカバー２００に覆われていない部分である。
【００２２】
図１Ａ〜図４Ｂでは、信号導体３００の第１部３１０は二つであり、第２部３２０も二つである。第１部３１０のうちの一方の第１部３１０は、ベース１００の一方の第１部１１０内に位置し、他方の第１部３１０はベース１００の他方の第１部１１０内に位置している。第２部３２０のうちの一方の第２部３２０は、ベース１００の一方の第２部１２０内に位置し、他方の第２部３２０はベース１００の他方の第２部１２０内に位置している。
【００２３】
少なくとも一つの接地導体４００は、第１部４１０と、第２部４２０とを更に有する構成とすることが可能である。第１部４１０は、ベース１００の第１部１１０内又は第１部１１０の第２面上に位置しており且つ少なくとも一つのカバー２００に覆われている部分である。第２部４２０は、ベース１００の第２部１２０内又は第２部１２０の第２面上に位置しており且つ少なくとも一つのカバー２００に覆われていない部分である。
【００２４】
図１Ａ〜図４Ｂでは、接地導体４００の第１部４１０は二つであり、第２部４２０も二つである。第１部４１０のうちの一方の第１部４１０は、ベース１００の一方の第１部１１０内に位置し、他方の第１部４１０はベース１００の他方の第１部４１０内に位置している。第２部４２０のうちの一方の第２部４２０は、ベース１００の一方の第２部１２０内に位置し、他方の第２部４２０はベース１００の他方の第２部４２０内に位置している。
【００２５】
少なくとも一つの信号導体３００は、第１端部３３０と、第２端部３４０とを更に有する構成とすることが可能である。第１端部３３０は、信号導体３００の第１方向の一方側の端部であって、ベース１００の第１端部１３０内又は第１端部１３０の第１面上に位置している。第２端部３４０は信号導体３００の第１方向の他方側の端部であって、ベース１００の第２端部１４０内又は第２端部１４０の第１面上に位置している。第１端部３３０が第１端部１３０内に位置し、第２端部３４０が第２端部１４０内に位置している場合、第１端部３３０及び第２端部３４０は外部接続用のバイアホールを有する構成、又は第１端部３３０が第１端部１３０から外部に露出し且つ第２端部３４０が第２端部１４０から外部に露出する構成とすることが可能である。
【００２６】
少なくとも一つの接地導体４００は、第１端部４３０と、第２端部４４０とを更に有する構成とすることが可能である。第１端部４３０は、接地導体４００の第１方向の一方側の端部であって、ベース１００の第１端部１３０内又は第１端部１３０の第２面上に位置している。第２端部４４０は接地導体４００の第１方向の他方側の端部であって、ベース１００の第２端部１４０内又は第２端部１４０の第２面上に位置している。第１端部４３０が第１端部１３０内に位置し、第２端部４４０が第２端部１４０内に位置している場合、第１端部４３０及び第２端部４４０は外部接続用のバイアホールを有する構成、又は第１端部４３０が第１端部１３０から外部に露出し且つ第２端部４４０が第２端部１４０から外部に露出する構成とすることが可能である。
【００２７】
図１Ａ〜図４Ｂでは、信号導体３００の第１端部３３０はベース１００の第１端部１３０内に位置し且つ外部接続用のバイアホールを有している。信号導体３００の第２端部３４０はベース１００の部分的にカットされた第２端部１４０から外部に露出している。接地導体４００の第１端部４３０は二股状にされ、ベース１００の第１端部１３０内の信号導体３００の第１端部３３０の第２方向の両側に位置している。第１端部４３０は、二つの外部接続用のバイアホールを有している。接地導体４００の第２端部３４０は二股状にされ、ベース１００の部分的にカットされた第２端部１４０から外部に露出している。二股状の第２端部３４０は信号導体３００の第２端部３４０の第２方向の両側に位置している。
【００２８】
少なくとも一つの接地導体４００は、図４Ａ及び図４Ｂに示されるように、複数の開口４５０を更に有する構成とすることが可能である。少なくとも一つの接地導体４００は、図３Ａ及び図３Ｂに示されるように、開口４５０を有していなくても良い。開口４５０は、少なくとも一つの信号導体３００に沿って間隔をあけて配置されるように接地導体４００に設けられていると良い。
【００２９】
上記の通り、信号導体３００の第１部３１０がカバー２００によって覆われている一方、信号導体３００の第２部３２０がカバー２００に覆われていない。このため、第１部３１０のインピーダンスと第２部３２０のインピーダンスとに差が生じ得る。具体的には、第２部３２０のインピーダンスが第１部３１０のインピーダンスよりも小さくなる。そこで、接地導体４００の第２部４２０の単位面積が接地導体４００の第１部４１０の単位面積よりも小さくすることが可能である。この構成によって、第２部３２０のインピーダンスを上昇させ、第１部３１０のインピーダンスと第２部３２０のインピーダンスとに差を低減できる。接地導体４００の第２部４２０の単位面積が接地導体４００の第１部４１０の単位面積よりも小さくする具体的には手段は以下の通りである。
【００３０】
１）接地導体４００の第２部４２０の第２方向の寸法（幅寸法）が接地導体４００の第１部４１０の第２方向の寸法（幅寸法）よりも小さくする。２）接地導体４００が、信号導体３００に沿って間隔をあけて配置される複数の開口４５０を有する場合、接地導体４００の第２部４２０に設けられた開口４５０の少なくとも一つの外形寸法を、接地導体４００の第１部４１０に設けられた開口４５０の外形寸法よりも大きくする。３）接地導体４００が信号導体３００に沿って間隔をあけて配置される複数の開口４５０を有する場合、接地導体４００の第２部４２０に設けられた開口４５０の間隔を、接地導体４００の第１部４１０に設けられた開口４５０の間隔よりも小さくする。４）接地導体４００の第２部４２０にのみ少なくとも一つの開口４５０を設ける。１）及び２）、１）及び３）、１）〜３）、１）及び４）、又は２）〜３）は組み合わせ可能である。なお、図２Ａ〜図４Ｂでは、１）が示されている。図４Ａ及び図４Ｂでは、接地導体４００が開口４５０を有しているが、２）〜４）は示されていない。
【００３１】
上記１）の手段が採用される場合、ベース１００の第２部１２０の第２方向の寸法（幅寸法）はベース１００の第１部１１０の第２方向の寸法（幅寸法）よりも小さくすることが可能である。このようにベース１００の第２部１２０の第２方向の寸法が小さくなれば、第２部１２０の湾曲又は折り曲げが容易になる。上記１）の手段が採用される場合、ベース１００の第２部１２０の第２方向の寸法とベース１００の第１部１１０の第２方向の寸法（幅寸法）とが同じであっても良い。
【００３２】
以下、フレキシブル配線基板Ｆの製造方法について詳しく説明する。ベース１００、信号導体３００及び接地導体４００を用意する。信号導体３００及び接地導体４００は第３方向に間隔をあけて平行に延びるようにベース１００に設けられている。ベース１００が信号導体３００及び接地導体４００間に介在している。カバー２００を用意する。カバー２００をベース１００の第１部１１０の第１面及び第２面に固定する。これにより、カバー２００が第１部１１０に設けられた信号導体３００の第１部３１０及び接地導体４００の第１部４１０を覆う。このようにフレキシブル配線基板Ｆが製造される。
【００３３】
上記したフレキシブル配線基板Ｆは、以下の技術的特徴を有する。第１に、フレキシブル配線基板Ｆの伝送特性の劣化が抑制される。その理由は以下の通りである。カバー２００がベース１００の第１部１１０の第１面及び第２面の少なくとも一方を覆っているので、フレキシブル配線基板Ｆが電子機器内に配置され、電子機器内の二つの電子部品間を接続した状態で、ベース１００が電子機器内の他の部品に接触する可能性を低減できる。よって、ベース１００が他の部品に接触することによって、フレキシブル配線基板Ｆの伝送特性が劣化する可能性が低減される。しかも、接地導体４００の第２部４２０の単位面積が接地導体４００の第１部４１０の単位面積よりも小さいので、信号導体３００の第２部３２０のインピーダンスを大きくすることができる。よって、信号導体３００の第２部３２０のインピーダンスと信号導体３００の第１部３１０のインピーダンスとの差が低減される。これがフレキシブル配線基板Ｆの伝送特性の劣化を抑制する。
【００３４】
第２に、フレキシブル配線基板Ｆは、所望の湾曲又は折り曲げが実現される。ベース１００の第１部１１０は、カバー２００が固定されているため、湾曲又は折り曲げ不可である一方、ベース１００の第２部１２０が湾曲又は折り曲げ可能である。よって、フレキシブル配線基板Ｆの湾曲又は折り曲げたい部分を第２部１２０に設定することで、フレキシブル配線基板Ｆを所望の部分で湾曲又は折り曲げることができる。しかも、接地導体４００の第２部４２０の幅寸法が接地導体４００の第１部４１０の幅寸法よりも小さい場合、ベース１００の第２部１２０の幅寸法を小さくすることができる。よって、第２部１２０の湾曲又は折り曲げが容易になる。
【００３５】
なお、上記したフレキシブル配線基板は、上記実施例に限定されるものではなく、特許請求の範囲の記載範囲において任意に設計変更することが可能である。以下、詳しく述べる。
【００３６】
上記した何れかの態様の接地導体４００は、図５に示すように、二つとすることができる。この二つの接地導体４００の一方の接地導体４００は、信号導体３００の第３方向の一方側で当該信号導体３００から間隔をあけて平行に延びるようにベース１００に設けられ、他方の接地導体４００は、信号導体３００の第３方向の他方側で当該信号導体３００から間隔をあけて平行に延びるようにベース１００に設けられていると良い。換言すると、一つの信号導体３００が、二つの接地導体４００の間に位置している。二つの接地導体４００及び一つの信号導体３００がストリップラインを構成している。この場合、接地導体４００、信号導体３００及びベース１００は、上記した何れかの態様とすることが可能である。
【００３７】
上記した何れかの態様の信号導体３００は、複数とすることが可能である。例えば、上記した何れかの態様の二つの信号導体３００が、ベース１００内又は第１面１０１上にベース１００の第２方向に間隔をあけて平行に配置され、上記した何れかの態様の少なくとも一つの接地導体４００がベース１００内又は第２面１０２上に設けられ、且つ二つの信号導体３００に対して各々間隔をあけて平行に延びていても良い。その一例が図６Ａ及び図６Ｂに示されている。図６Ａでは、一つの接地導体４００が二つの信号導体３００に対して第３方向に各々間隔をあけて平行に延びている。図６Ｂでは、二つの接地導体４００のうち一方の接地導体４００は、二つの信号導体３００の第３方向の一方側で当該信号導体３００から各々間隔をあけて平行に延びており、他方の接地導体４００が二つの信号導体３００の第３方向の他方側で当該信号導体３００から各々間隔をあけて平行に延びている。この場合、接地導体４００、信号導体３００及びベース１００は、上記した何れかの態様の構成とすることが可能である。
【００３８】
なお、上記実施例及び設計変形例におけるフレキシブル配線基板の各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。
【符号の説明】
【００３９】
Ｆ：フレキシブル配線基板
１００：ベース
１０１：第１面
１０２：第２面
１１０：第１部
１２０：第２部
１３０：第１端部
１４０：第２端部
２００：カバー
３００：信号導体
３１０：第１部
３２０：第２部
３３０：第１端部
３４０：第２端部
４００：接地導体
４１０：第１部
４２０：第２部
４３０：第１端部
４４０：第２端部
４５０：開口
【図１Ａ】
2017028500.tif 000003
【図１Ｂ】
2017028500.tif 000004
【図１Ｃ】
2017028500.tif 000005
【図２Ａ】
2017028500.tif 000006
【図２Ｂ】
2017028500.tif 000007
【図２Ｃ】
2017028500.tif 000008
【図２Ｄ】
2017028500.tif 000009
【図２Ｅ】
2017028500.tif 000010
【図２Ｆ】
2017028500.tif 000011
【図３Ａ】
2017028500.tif 000012
【図３Ｂ】
2017028500.tif 000013
【図４Ａ】
2017028500.tif 000014
【図４Ｂ】
2017028500.tif 000015
【図５】
2017028500.tif 000016
【図６Ａ】
2017028500.tif 000017
【図６Ｂ】
2017028500.tif 000018
【手続補正書】
【提出日】平成28年7月22日(2016.7.22)
【手続補正１】
【補正対象書類名】明細書
【補正対象項目名】全文
【補正方法】変更
【補正の内容】
【発明の詳細な説明】
【技術分野】
【０００１】
本発明は、フレキシブル配線基板に関する。
【背景技術】
【０００２】
従来のフレキシブル配線基板が下記特許文献１及び２に記載されている。この従来のフレキシブル配線基板は、ベースと、信号導体と、接地導体とを備えている。ベースは、絶縁性を有している。信号導体及び接地導体は、マイクロストリップラインを構成するようにベースに設けられている。
【先行技術文献】
【特許文献】
【０００３】
【特許文献１】特開２００７−１２３７４０号公報
【特許文献２】ＷＯ２０１２／０７３５９１号公報
【発明の概要】
【発明が解決しようとする課題】
【０００４】
上記フレキシブル配線基板は、電子機器内で二つの電子部品間を接続するのに使用される。このフレキシブル配線基板が、電子機器内の他の部品（電子部品の端子や電子部品の金属シェル等）に接触すると、信号導体及び／又は接地導体の特性インピーダンスが乱れる。これが、フレキシブル配線基板の伝送特性の劣化に繋がる。
【０００５】
本発明は、上記事情に鑑みて創案されたものであって、その目的とするところは、伝送特性の劣化を抑制することができるフレキシブル配線基板を提供することにある。
【課題を解決するための手段】
【０００６】
上記課題を解決するために、本発明の一態様のフレキシブル配線基板は、ベースと、少なくとも一つのカバーと、少なくとも一つの信号導体と、少なくとも一つの接地導体とを備えている。ベースは、可撓性を有する長尺状の誘電体である。ベースは、当該ベースの厚み方向の第１面と、第１面の反対側の第２面を有している。少なくとも一つのカバーは、ベースの第１面及び第２面の少なくとも一方の面上に固定されており且つベースよりも誘電率が低い低誘電体であって、当該少なくとも一方の面の長手方向の一部を覆っている。少なくとも一つの信号導体は、ベースに設けられており且つ長手方向に延びている。少なくとも一つの信号導体は、カバーに覆われている第１部と、カバーに覆われていない第２部とを有している。少なくとも一つの接地導体は、ベースに設けられており且つ少なくとも一つの信号導体に対して間隔をあけて平行に延びている。接地導体は、カバーに覆われている第１部と、カバーに覆われていない第２部を有している。接地導体の第２部の単位面積が、接地導体の第１部の単位面積よりも小さい。
【０００７】
このような態様のフレキシブル配線基板は、伝送特性の劣化が抑制される。その理由は以下の通りである。第１に、カバーがベースの第１面及び第２面の少なくとも一方の面の一部を覆っているので、ベースが他の部品に接触する可能性を低減できる。よって、ベースが他の部品に接触することによって、フレキシブル配線基板の伝送特性が劣化する可能性が低減される。第２に、信号導体がカバーに覆われている第１部とカバーに覆われていない第２部とを有しているため、信号導体の第１部と第２部とにインピーダンスの差が生じ得る。しかし、接地導体の第２部の単位面積が接地導体の第１部の単位面積よりも小さいので、信号導体の第２部のインピーダンスが大きくなる。よって、信号導体の第２部のインピーダンスと信号導体の第１部のインピーダンスとの差が低減される。これがフレキ
シブル配線基板の伝送特性の劣化を抑制する。
【０００８】
接地導体の第２部の短手方向の寸法が、接地導体の第１部の短手方向の寸法よりも小さくすることが可能である。このような態様のフレキシブル配線基板による場合、接地導体の第２部及び第１部の短手方向の寸法を相違させることによって、接地導体の第２部の単位面積を接地導体の第１部の単位面積よりも小さくすることができる。
【０００９】
又は、接地導体は、信号導体に沿って間隔をあけて配置される複数の開口を有する構成とすることが可能である。接地導体の第２部の開口の少なくとも一つの外形寸法が、接地導体の第１部の開口の外形寸法よりも大きくすることが可能である。又は、接地導体の第２部の開口の間隔が、接地導体の第１部の開口の間隔よりも小さくすることが可能である。このような態様のフレキシブル配線基板による場合、接地導体の第２部の開口の外形寸法を接地導体の第１部の開口の外形寸法と相違させる、又は接地導体の第２部の開口の間隔を接地導体の第１部の開口の間隔と相違させることによって、接地導体の第２部の単位面積を接地導体の第１部の単位面積よりも小さくすることができる。
【００１０】
又は、接地導体は、第２部に設けられた少なくとも一つの開口を有する構成とすることが可能である。このような態様のフレキシブル配線基板による場合、接地導体の第２部に開口を設けることによって、接地導体の第２部の単位面積を接地導体の第１部の単位面積よりも小さくすることができる。
【００１１】
接地導体は、二つとすることが可能である。この場合、少なくとも一つの信号導体は、二つの接地導体間に配置された構成とすることが可能である。また、複数の信号導体が、二つの接地導体間に配置された構成とすることが可能である。
【図面の簡単な説明】
【００１２】
【図１Ａ】本発明の実施例１に係る一態様のフレキシブル配線基板の正面、平面及び右側面から表した斜視図である。
【図１Ｂ】前記フレキシブル配線基板の背面、底面及び左側面から表した斜視図である。
【図１Ｃ】前記フレキシブル配線基板のベースの第２部を湾曲させた状態を示す正面、平面及び右側面から表した斜視図である。
【図２Ａ】前記フレキシブル配線基板の図１Ａ中の２Ａ−２Ａ断面図である。
【図２Ｂ】前記フレキシブル配線基板の図１Ａ中の２Ｂ−２Ｂ断面図である。
【図２Ｃ】前記フレキシブル配線基板の図１Ａ中の２Ｃ−２Ｃ断面図である。
【図２Ｄ】前記フレキシブル配線基板の図１Ａ中の２Ｄ−２Ｄ断面図である。
【図２Ｅ】前記フレキシブル配線基板の図１Ａ中の２Ｅ−２Ｅ断面図である。
【図２Ｆ】前記フレキシブル配線基板の図１Ａ中の２Ｆ−２Ｆ断面図である。
【図３Ａ】前記フレキシブル配線基板のベース、信号導体及び接地導体の正面、平面及び右側面から表した斜視図であって、前記ベースを二点破線で示した図である。
【図３Ｂ】前記フレキシブル配線基板の前記ベース、前記信号導体及び前記接地導体の背面、底面及び左側面から表した斜視図であって、前記ベースを二点破線で示した図である。
【図４Ａ】前記フレキシブル配線基板の前記ベース、前記信号導体及び前記接地導体の平面図であって、前記ベースを二点破線で示し且つ前記接地導体の別の態様を示す図である。
【図４Ｂ】前記フレキシブル配線基板の前記ベース、前記信号導体及び前記別の態様の接地導体の底面図であって、前記ベースを二点破線で示した図である。
【図５】前記フレキシブル配線基板の設計変更例を説明するための断面図である。
【図６Ａ】前記フレキシブル配線基板の別の設計変更例を説明するための断面図である。
【図６Ｂ】前記フレキシブル配線基板の更に別の設計変更例を説明するための断面図である。
【発明を実施するための形態】
【００１３】
以下、本発明の実施例１に係るフレキシブル配線基板Ｆついて図１Ａ〜図４Ｂを参照しつつ説明する。フレキシブル配線基板Ｆは、ベース１００と、少なくとも一つのカバー２００と、少なくとも一つの信号導体３００と、少なくとも一つの接地導体４００とを備えている。以下、説明の便宜上、ベース１００の長手方向を第１方向と称し、ベース１００の短手方向を第２方向と称し、且つベース１００の厚み方向を第３方向と称する。第１方向は、特許請求の範囲の長手方向に相当する。第２方向は、特許請求の範囲の短手方向に相当する。第２方向は第１方向に交差している。第３方向は、特許請求の範囲の厚み方向に相当する。第３方向は、第１方向及び第２方向に直交している。
【００１４】
ベース１００は可撓性を有する長尺状の誘電体である。ベース１００は、第１面１０１と、第２面１０２とを有している。第１面１０１は、ベース１００の第３方向の一方の面である。第２面１０２は、ベース１００の第３方向の他方の面であって、第１面１０１の反対側の面である。図１Ａ〜図４Ｂでは、ベース１００は、可撓性を有する長尺状の絶縁板である。
【００１５】
少なくとも一つの信号導体３００は、ベース１００内に設けられていても良いし、ベース１００の第１面１０１上に設けられていても良い。信号導体３００は、ベース１００に沿って延びている。図１Ａ〜図４Ｂでは、信号導体３００は一つである。
【００１６】
少なくとも一つの接地導体４００は、ベース１００内に設けられていても良いし、ベース１００の第２面１０２上に設けられていても良い。接地導体４００は、信号導体３００に対して第３方向に間隔をあけて平行に延びている。接地導体４００は、信号導体３００にベース１００を介して第３方向に対向配置されている。接地導体４００の第２方向の寸法（幅寸法）は、信号導体３００の第２方向の寸法（幅寸法）よりも大きい。信号導体３００及び接地導体４００は、マイクロストリップラインを構成していると良い。
【００１７】
ベース１００は、少なくとも一つの第１部１１０と、少なくとも一つの第２部１２０と、第１端部１３０と、第２端部１４０とを更に有している。第１部１１０は、ベース１００の第１方向の一部である。第１部１１０は、第１面と、第２面を有している。第１部１１０の第１面は、第１部１１０の第３方向の一方の面であって、第１面１０１の第１方向（長手方向）の一部である。第１部１１０の第２面は、第１部１１０の第３方向の他方の面であって、第２面１０２の第１方向（長手方向）の一部である。第２部１２０は、ベース１００の第１方向の第１部１１０以外の別の一部である。第２部１２０は、第１面と、第２面を有している。第２部１２０の第１面は、第２部１２０の第３方向の一方の面であって、第１面１０１の第１方向（長手方向）の別の一部である。第２部１２０の第２面は、第２部１２０の第３方向の他方の面であって、第２面１０２の第１方向（長手方向）の別の一部である。第１端部１３０は、ベース１００の第１方向の一方側の端部である。第２端部１４０はベース１００の第１方向の他方側の端部である。
【００１８】
少なくとも一つのカバー２００は、ベース１００よりも誘電率が低い低誘電体であって、ベース１００の少なくとも一つの第１部１１０の第１面上及び／又は第２面上に固定されている。カバー２００の第１方向の寸法は、ベース１００の第１部１１０の第１方向の寸法と同じとすることが可能である。カバー２００の第２方向の寸法は、ベース１００の第１部１１０の第２方向の寸法と同じであっても良いし、相違していても良い。カバー２００が少なくとも一つの第１部１１０を覆っている。
【００１９】
図１Ａ〜図４Ｂでは、ベース１００の第１部１１０は二つであり、第２部１２０も二つである。第１部１１０のうちの一方の第１部１１０は、ベース１００の第１方向の一部であり、他方の第１部１１０はベース１００の第１方向の別の一部である。第２部１２０のうちの一方の第２部１２０は、ベース１００の二つの第１部１１０の間の部分であり、他方の第２部１２０はベース１００の他方の第１部１１０と第２端部１４０との間の部分である。カバー２００は、四つである。四つのカバー２００のうち二つが、一方の第１部１１０の第１面上及び第２面上に固定されており、残りの二つが他方の第１部１１０の第１面上及び第２面上に固定されている。このように二つの第１部１１０は、二つのカバー２００に各々挟まれている。
【００２０】
上記した何れかの態様のカバー２００は、ベース１００よりも誘電率が低い折り曲げ不可である樹脂（例えば、ウレタン等の発泡剤）で構成された絶縁板とすることが可能である。このカバー２００が固定された第１部１１０は湾曲又は折り曲げ不可となる一方、ベース１００の第２部１２０は湾曲又は折り曲げ可能な状態が維持される（図１Ｃ参照）。上記した何れかの態様のカバー２００は、樹脂製の絶縁フィルム等であっても良い。
【００２１】
少なくとも一つの信号導体３００は、第１部３１０と、第２部３２０とを有する構成とすることが可能である。第１部３１０は、ベース１００の第１部１１０内又は第１部１１０の第１面上に位置しており且つ少なくとも一つのカバー２００に覆われている部分である。第２部３２０は、ベース１００の第２部１２０内又は第２部１２０の第１面上に位置しており且つ少なくとも一つのカバー２００に覆われていない部分である。
【００２２】
図１Ａ〜図４Ｂでは、信号導体３００の第１部３１０は二つであり、第２部３２０も二つである。第１部３１０のうちの一方の第１部３１０は、ベース１００の一方の第１部１１０内に位置し、他方の第１部３１０はベース１００の他方の第１部１１０内に位置している。第２部３２０のうちの一方の第２部３２０は、ベース１００の一方の第２部１２０内に位置し、他方の第２部３２０はベース１００の他方の第２部１２０内に位置している。
【００２３】
少なくとも一つの接地導体４００は、第１部４１０と、第２部４２０とを更に有する構成とすることが可能である。第１部４１０は、ベース１００の第１部１１０内又は第１部１１０の第２面上に位置しており且つ少なくとも一つのカバー２００に覆われている部分である。第２部４２０は、ベース１００の第２部１２０内又は第２部１２０の第２面上に位置しており且つ少なくとも一つのカバー２００に覆われていない部分である。
【００２４】
図１Ａ〜図４Ｂでは、接地導体４００の第１部４１０は二つであり、第２部４２０も二つである。第１部４１０のうちの一方の第１部４１０は、ベース１００の一方の第１部１１０内に位置し、他方の第１部４１０はベース１００の他方の第１部１１０内に位置している。第２部４２０のうちの一方の第２部４２０は、ベース１００の一方の第２部１２０内に位置し、他方の第２部４２０はベース１００の他方の第２部１２０内に位置している。
【００２５】
少なくとも一つの信号導体３００は、第１端部３３０と、第２端部３４０とを更に有する構成とすることが可能である。第１端部３３０は、信号導体３００の第１方向の一方側の端部であって、ベース１００の第１端部１３０内又は第１端部１３０の第１面上に位置している。第２端部３４０は信号導体３００の第１方向の他方側の端部であって、ベース１００の第２端部１４０内又は第２端部１４０の第１面上に位置している。第１端部３３０が第１端部１３０内に位置し、第２端部３４０が第２端部１４０内に位置している場合、第１端部３３０及び第２端部３４０は外部接続用のバイアホールを有する構成、又は第１端部３３０が第１端部１３０から外部に露出し且つ第２端部３４０が第２端部１４０から外部に露出する構成とすることが可能である。
【００２６】
少なくとも一つの接地導体４００は、第１端部４３０と、第２端部４４０とを更に有する構成とすることが可能である。第１端部４３０は、接地導体４００の第１方向の一方側の端部であって、ベース１００の第１端部１３０内又は第１端部１３０の第２面上に位置している。第２端部４４０は接地導体４００の第１方向の他方側の端部であって、ベース１００の第２端部１４０内又は第２端部１４０の第２面上に位置している。第１端部４３０が第１端部１３０内に位置し、第２端部４４０が第２端部１４０内に位置している場合、第１端部４３０及び第２端部４４０は外部接続用のバイアホールを有する構成、又は第１端部４３０が第１端部１３０から外部に露出し且つ第２端部４４０が第２端部１４０から外部に露出する構成とすることが可能である。
【００２７】
図１Ａ〜図４Ｂでは、信号導体３００の第１端部３３０はベース１００の第１端部１３０内に位置し且つ外部接続用のバイアホールを有している。信号導体３００の第２端部３４０はベース１００の部分的にカットされた第２端部１４０から外部に露出している。接地導体４００の第１端部４３０は二股状にされ、ベース１００の第１端部１３０内の信号導体３００の第１端部３３０の第２方向の両側に位置している。第１端部４３０は、二つの外部接続用のバイアホールを有している。接地導体４００の第２端部４４０は二股状にされ、ベース１００の部分的にカットされた第２端部１４０から外部に露出している。二股状の第２端部４４０は信号導体３００の第２端部３４０の第２方向の両側に位置している。
【００２８】
少なくとも一つの接地導体４００は、図４Ａ及び図４Ｂに示されるように、複数の開口４５０を更に有する構成とすることが可能である。少なくとも一つの接地導体４００は、図３Ａ及び図３Ｂに示されるように、開口４５０を有していなくても良い。開口４５０は、少なくとも一つの信号導体３００に沿って間隔をあけて配置されるように接地導体４００に設けられていると良い。
【００２９】
上記の通り、信号導体３００の第１部３１０がカバー２００によって覆われている一方、信号導体３００の第２部３２０がカバー２００に覆われていない。このため、第１部３１０のインピーダンスと第２部３２０のインピーダンスとに差が生じ得る。具体的には、第２部３２０のインピーダンスが第１部３１０のインピーダンスよりも小さくなる。そこで、接地導体４００の第２部４２０の単位面積が接地導体４００の第１部４１０の単位面積よりも小さくすることが可能である。この構成によって、第２部３２０のインピーダンスを上昇させ、第１部３１０のインピーダンスと第２部３２０のインピーダンスとに差を低減できる。接地導体４００の第２部４２０の単位面積が接地導体４００の第１部４１０の単位面積よりも小さくする具体的には手段は以下の通りである。
【００３０】
１）接地導体４００の第２部４２０の第２方向の寸法（幅寸法）が接地導体４００の第１部４１０の第２方向の寸法（幅寸法）よりも小さくする。２）接地導体４００が、信号導体３００に沿って間隔をあけて配置される複数の開口４５０を有する場合、接地導体４００の第２部４２０に設けられた開口４５０の少なくとも一つの外形寸法を、接地導体４００の第１部４１０に設けられた開口４５０の外形寸法よりも大きくする。３）接地導体４００が信号導体３００に沿って間隔をあけて配置される複数の開口４５０を有する場合、接地導体４００の第２部４２０に設けられた開口４５０の間隔を、接地導体４００の第１部４１０に設けられた開口４５０の間隔よりも小さくする。４）接地導体４００の第２部４２０にのみ少なくとも一つの開口４５０を設ける。１）及び２）、１）及び３）、１）〜３）、１）及び４）、又は２）〜３）は組み合わせ可能である。なお、図２Ａ〜図４Ｂでは、１）が示されている。図４Ａ及び図４Ｂでは、接地導体４００が開口４５０を有しているが、２）〜４）は示されていない。
【００３１】
上記１）の手段が採用される場合、ベース１００の第２部１２０の第２方向の寸法（幅寸法）はベース１００の第１部１１０の第２方向の寸法（幅寸法）よりも小さくすることが可能である。このようにベース１００の第２部１２０の第２方向の寸法が小さくなれば、第２部１２０の湾曲又は折り曲げが容易になる。上記１）の手段が採用される場合、ベース１００の第２部１２０の第２方向の寸法とベース１００の第１部１１０の第２方向の寸法（幅寸法）とが同じであっても良い。
【００３２】
以下、フレキシブル配線基板Ｆの製造方法について詳しく説明する。ベース１００、信号導体３００及び接地導体４００を用意する。信号導体３００及び接地導体４００は第３方向に間隔をあけて平行に延びるようにベース１００に設けられている。ベース１００が信号導体３００及び接地導体４００間に介在している。カバー２００を用意する。カバー２００をベース１００の第１部１１０の第１面及び第２面に固定する。これにより、カバー２００が第１部１１０に設けられた信号導体３００の第１部３１０及び接地導体４００の第１部４１０を覆う。このようにフレキシブル配線基板Ｆが製造される。
【００３３】
上記したフレキシブル配線基板Ｆは、以下の技術的特徴を有する。第１に、フレキシブル配線基板Ｆの伝送特性の劣化が抑制される。その理由は以下の通りである。カバー２００がベース１００の第１部１１０の第１面及び第２面の少なくとも一方を覆っているので、フレキシブル配線基板Ｆが電子機器内に配置され、電子機器内の二つの電子部品間を接続した状態で、ベース１００が電子機器内の他の部品に接触する可能性を低減できる。よって、ベース１００が他の部品に接触することによって、フレキシブル配線基板Ｆの伝送特性が劣化する可能性が低減される。しかも、接地導体４００の第２部４２０の単位面積が接地導体４００の第１部４１０の単位面積よりも小さいので、信号導体３００の第２部３２０のインピーダンスを大きくすることができる。よって、信号導体３００の第２部３２０のインピーダンスと信号導体３００の第１部３１０のインピーダンスとの差が低減される。これがフレキシブル配線基板Ｆの伝送特性の劣化を抑制する。
【００３４】
第２に、フレキシブル配線基板Ｆは、所望の湾曲又は折り曲げが実現される。ベース１００の第１部１１０は、カバー２００が固定されているため、湾曲又は折り曲げ不可である一方、ベース１００の第２部１２０が湾曲又は折り曲げ可能である。よって、フレキシブル配線基板Ｆの湾曲又は折り曲げたい部分を第２部１２０に設定することで、フレキシブル配線基板Ｆを所望の部分で湾曲又は折り曲げることができる。しかも、接地導体４００の第２部４２０の幅寸法が接地導体４００の第１部４１０の幅寸法よりも小さい場合、ベース１００の第２部１２０の幅寸法を小さくすることができる。よって、第２部１２０の湾曲又は折り曲げが容易になる。
【００３５】
なお、上記したフレキシブル配線基板は、上記実施例に限定されるものではなく、特許請求の範囲の記載範囲において任意に設計変更することが可能である。以下、詳しく述べる。
【００３６】
上記した何れかの態様の接地導体４００は、図５に示すように、二つとすることができる。この二つの接地導体４００の一方の接地導体４００は、信号導体３００の第３方向の一方側で当該信号導体３００から間隔をあけて平行に延びるようにベース１００に設けられ、他方の接地導体４００は、信号導体３００の第３方向の他方側で当該信号導体３００から間隔をあけて平行に延びるようにベース１００に設けられていると良い。換言すると、一つの信号導体３００が、二つの接地導体４００の間に位置している。二つの接地導体４００及び一つの信号導体３００がストリップラインを構成している。この場合、接地導体４００、信号導体３００及びベース１００は、上記した何れかの態様とすることが可能
である。
【００３７】
上記した何れかの態様の信号導体３００は、複数とすることが可能である。例えば、上記した何れかの態様の二つの信号導体３００が、ベース１００内又は第１面１０１上にベース１００の第２方向に間隔をあけて平行に配置され、上記した何れかの態様の少なくとも一つの接地導体４００がベース１００内又は第２面１０２上に設けられ、且つ二つの信号導体３００に対して各々間隔をあけて平行に延びていても良い。その一例が図６Ａ及び図６Ｂに示されている。図６Ａでは、一つの接地導体４００が二つの信号導体３００に対して第３方向に各々間隔をあけて平行に延びている。図６Ｂでは、二つの接地導体４００のうち一方の接地導体４００は、二つの信号導体３００の第３方向の一方側で当該信号導体３００から各々間隔をあけて平行に延びており、他方の接地導体４００が二つの信号導体３００の第３方向の他方側で当該信号導体３００から各々間隔をあけて平行に延びている。この場合、接地導体４００、信号導体３００及びベース１００は、上記した何れかの態様の構成とすることが可能である。
【００３８】
なお、上記実施例及び設計変形例におけるフレキシブル配線基板の各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。
【符号の説明】
【００３９】
Ｆ：フレキシブル配線基板
１００：ベース
１０１：第１面
１０２：第２面
１１０：第１部
１２０：第２部
１３０：第１端部
１４０：第２端部
２００：カバー
３００：信号導体
３１０：第１部
３２０：第２部
３３０：第１端部
３４０：第２端部
４００：接地導体
４１０：第１部
４２０：第２部
４３０：第１端部
４４０：第２端部
４５０：開口